(57)【要約】【課題】専用のトイレ装置を用いることなく、トイレ室内に光による演出効果をもたらすことができるキャビネットを提供する。【解決手段】トイレ室内において、便器の側方に配置されるキャビネットであって、前記便器よりも前方に延びるキャビネット本体と、前記トイレ室内における人体の検知を行う人体検知センサと、前記トイレ室内を照らす照明部と、前記人体検知センサの検知結果に基づいて前記照明部を制御する制御部と、を備えたことを特徴とするキャビネット。【選択図】図１
2020044249.tif 000002
【特許請求の範囲】
【請求項１】
トイレ室内において、便器の側方に配置されるキャビネットであって、
前記便器よりも前方に延びるキャビネット本体と、
前記トイレ室内における人体の検知を行う人体検知センサと、
前記トイレ室内を照らす照明部と、
前記人体検知センサの検知結果に基づいて前記照明部を制御する制御部と、
を備えたことを特徴とするキャビネット。
【請求項２】
前記人体検知センサは、取付角度を調整可能であることを特徴とする請求項１記載のキャビネット。
【請求項３】
前記人体検知センサは、前記キャビネット本体の左右方向の中央よりも前記便器側であって、前記便器よりも後方、または、左右方向において前記便器と重なる位置に設けられることを特徴とする請求項２記載のキャビネット。
【請求項４】
前記人体検知センサは、前記トイレ室のドアに向かって設けられることを特徴とする請求項３記載のキャビネット。
【発明の詳細な説明】
【技術分野】
【０００１】
本発明の態様は、一般的に、キャビネットに関する。
【背景技術】
【０００２】
従来、トイレ室内のトイレ装置に設けられた人体検知センサによって、トイレ内器具に設けられた照明機器を自動点灯・自動消灯させ、トイレ室内に光による演出効果をもたらす技術が提案されている（特許文献１）。
【先行技術文献】
【特許文献】
【０００３】
【特許文献１】特開２０１７−１６９９０１号公報
【発明の概要】
【発明が解決しようとする課題】
【０００４】
上記の照明システムは、人体検知センサを有する専用のトイレ装置を用いることで実現される。そのため、例えば、上記のような照明システムを導入するには、専用のトイレ装置を用いる必要があり、消費者の選択肢を制限してしまうという問題がある。
【０００５】
本発明は、かかる課題の認識に基づいてなされたものであり、専用のトイレ装置を用いることなく、トイレ室内に光による演出効果をもたらすことができるキャビネットを提供することを目的とする。
【課題を解決するための手段】
【０００６】
第１の発明は、トイレ室内において、便器の側方に配置されるキャビネットであって、前記便器よりも前方に延びるキャビネット本体と、前記トイレ室内における人体の検知を行う人体検知センサと、前記トイレ室内を照らす照明部と、前記人体検知センサの検知結果に基づいて前記照明部を制御する制御部と、を備えたことを特徴とするキャビネットである。
【０００７】
このキャビネットによれば、キャビネットに、人体検知センサと、トイレ室内を照らす照明部と、照明部の動作を制御する制御部と、を設けることで、キャビネットにおいて、人体検知センサの検知結果に基づいて、制御部により照明部を制御することができる。これにより、専用のトイレ装置を用いることなく、トイレ室内に光による演出効果をもたらすことができる。
【０００８】
第２の発明は、第１の発明において、前記人体検知センサは、取付角度を調整可能であることを特徴とするキャビネットである。
【０００９】
このキャビネットによれば、人体検知センサを取付角度が調整可能なものとすることで、トイレ室の大きさによらず、人体のトイレ室への入室やトイレ室内における人体の動きを精度よく検知することができる。また、トイレ室の外にいる人体を検知することによる照明部の誤動作（誤点灯）を抑制することができる。
【００１０】
第３の発明は、第２の発明において、前記人体検知センサは、前記キャビネット本体の左右方向の中央よりも前記便器側であって、前記便器よりも後方、または、左右方向において前記便器と重なる位置に設けられることを特徴とするキャビネットである。
【００１１】
このキャビネットによれば、人体検知センサをこのような位置に設けることで、トイレ室のドア付近の人体の動きだけでなく、着座中の人体も検知しやすくなる。
【００１２】
第４の発明は、第３の発明において、前記人体検知センサは、前記トイレ室のドアに向かって設けられることを特徴とするキャビネットである。
【００１３】
このキャビネットによれば、人体検知センサをこのような角度で設けることで、人体のトイレ室への入室及びトイレ室からの退室の検知精度が向上する。
【発明の効果】
【００１４】
本発明の態様によれば、専用のトイレ装置を用いることなく、トイレ室内に光による演出効果をもたらすことができるキャビネットが提供される。
【図面の簡単な説明】
【００１５】
【図１】実施形態に係るキャビネットを備えたトイレシステムを模式的に表す斜視図である。
【図２】実施形態に係るキャビネットを模式的に表す斜視図である。
【図３】実施形態に係るキャビネットの一部を模式的に表す断面図である。
【図４】実施形態に係るキャビネットの一部を模式的に表すブロック図である。
【図５】図５（ａ）及び図５（ｂ）は、実施形態に係るキャビネットの人体検知センサ周辺を模式的に表す斜視図である。
【図６】図６（ａ）及び図６（ｂ）は、実施形態に係るキャビネットの人体検知センサ周辺を模式的に表す平面図である。
【図７】図７（ａ）及び図７（ｂ）は、実施形態に係るキャビネットの人体検知センサ周辺の変形例を模式的に表す平面図である。
【図８】図８（ａ）及び図８（ｂ）は、実施形態に係るキャビネットを備えたトイレシステムを模式的に表す平面図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、実施形態に係るキャビネットを備えたトイレシステムを模式的に表す斜視図である。  
図１に表したように、トイレシステム５００は、キャビネット１００と、トイレ装置２００と、を備える。キャビネット１００及びトイレ装置２００は、トイレ室ＴＲの内部に設けられる。
【００１７】
トイレ装置２００は、例えば、トイレ室ＴＲの床面ＦＳに取り付けられる。トイレ装置２００は、トイレ装置２００の後方の壁に取り付けられてもよい。トイレ装置２００は、例えば、トイレ室ＴＲの床面ＦＳから離れた位置に取り付けられてもよい。
【００１８】
トイレ装置２００は、例えば、便器２１０と、便座２２０と、便蓋２３０と、を有する。便座２２０は、便器２１０の上に設けられる。便蓋２３０は、便器２１０の上に、便座２２０を覆うように設けられる。便座２２０及び便蓋２３０は、便器２１０に対して回動可能に軸支される。図１は、便座２２０が下がり、便蓋２３０が上がった状態を示している。
【００１９】
なお、本願明細書においては、便蓋２３０を背にして便座２２０に着座した使用者からみた上方、下方、前方、後方、右側方、及び左側方を、それぞれ「上方」、「下方」、「前方」、「後方」、「右側方」、及び「左側方」とする。
【００２０】
トイレ装置２００は、便座２２０を温める暖房便座機能や、便座２２０に着座した使用者の局部を洗浄する局部洗浄機能などを有していてもよい。
【００２１】
キャビネット１００は、便器２１０の側方に配置される。キャビネット１００は、例えば、トイレ室ＴＲの左右いずれかの側壁に取り付けられる。この例では、キャビネット１００は、便器２１０の右側の側壁ＳＷに取り付けられている。キャビネット１００は、便器２１０の左側の側壁に取り付けられてもよい。
【００２２】
トイレ室ＴＲには、トイレ室ＴＲに出入りするためのドア（図示せず）が設けられる。ドアは、例えば、トイレ室ＴＲの前方側の壁に設けられる。ドアは、例えば、トイレ室ＴＲのキャビネット１００が設けられる側壁ＳＷと反対側の側壁に設けられてもよい。ドアは、例えば、左右方向において便器２１０と重ならない位置に設けられる。
【００２３】
図２は、実施形態に係るキャビネットを模式的に表す斜視図である。  
図３は、実施形態に係るキャビネットの一部を模式的に表す断面図である。  
図４は、実施形態に係るキャビネットの一部を模式的に表すブロック図である。  
図２〜図４に表したように、キャビネット１００は、キャビネット本体１０と、人体検知センサ２０と、照明部３０と、制御部４０と、を備える。また、この例では、キャビネット１００は、手洗器５０と、紙巻器６０と、をさらに備えている。
【００２４】
キャビネット本体１０は、物品を収納可能な内部空間を有する略直方体の箱状である。キャビネット本体１０は、便器２１０よりも前方に延びる。換言すれば、キャビネット本体１０の前端は、便器２１０の前端よりも前方に位置する。キャビネット本体１０は、例えば、トイレ室ＴＲの側壁ＳＷに取り付けられる。この例では、キャビネット本体１０は、トイレ室ＴＲの床面ＦＳから離れた位置に取り付けられている。換言すれば、この例では、キャビネット本体１０と床面ＦＳとの間に空間が形成されている。キャビネット本体１０は、いわゆるハーフキャビネットである。キャビネット本体１０は、例えば、トイレ室ＴＲの床面ＦＳに載置されてもよい。
【００２５】
キャビネット本体１０は、例えば、便器２１０側の面に扉ＤＲを有する。扉ＤＲは、例えば、トイレ室ＴＲの側壁ＳＷに対して略平行であり、トイレ室ＴＲの床面ＦＳに対して略垂直である。扉ＤＲは、例えば、取手がないプッシュ式であり、使用者は、扉ＤＲを押すことで扉ＤＲを開けることができる。この例では、キャビネット本体１０の前後方向の中央に紙巻器６０が設けられており、紙巻器６０の前方及び後方に２つずつ扉ＤＲが設けられている。なお、図２では、人体検知センサ２０が設けられている部分の扉ＤＲを省略している。
【００２６】
人体検知センサ２０は、トイレ室ＴＲ内における人体の検知を行う。人体検知センサ２０は、例えば、赤外線センサやマイクロ波センサなどである。人体検知センサ２０は、例えば、人体のトイレ室ＴＲへの入室及びトイレ室ＴＲからの退室を検知する。人体検知センサ２０は、例えば、キャビネット本体１０の内部に取り付けられる。人体検知センサ２０は、例えば、キャビネット本体１０の上方または下方に設けられてもよい。人体検知センサ２０の取り付けについては、後述する。
【００２７】
照明部３０は、トイレ室ＴＲ内を照らす。図２及び図３に表したように、この例では、照明部３０は、キャビネット本体１０の下部に設けられており、キャビネット本体１０の下方に向かって光を照射する。これにより、トイレ室ＴＲの床面ＦＳを照らして、トイレ室ＴＲ内に光による演出効果をもたらすことができる。また、この例では、照明部３０は、キャビネット本体１０の前後方向の中央に設けられており、紙巻器６０の下方に位置する。
【００２８】
照明部３０を設ける位置は、これに限定されない。照明部３０は、例えば、キャビネット本体１０の上部に設けられてもよい。照明部３０をキャビネット本体１０の上部に設けることで、キャビネット本体１０の天板（カウンター）を照らすことができる。また、照明部３０は、例えば、手洗器５０の下に設けられてもよい。照明部３０を手洗器５０の下に設けることで、手洗器５０の周辺を照らすことができる。
【００２９】
照明部３０の光源は、例えば、ＬＥＤ（light emitting diode）である。照明部３０の光源は、ＬＥＤに限定されず、可視光を発光可能なものであればよい。
【００３０】
制御部４０は、人体検知センサ２０の検知結果に基づいて、照明部３０を制御する。図４に表したように、人体検知センサ２０は、検知結果を制御部４０に送信する。制御部４０は、人体検知センサ２０から送信された検知結果に基づき、照明部３０の動作を制御する。換言すれば、制御部４０は、照明部３０の動作を制御するための制御信号を照明部３０に送信する。
【００３１】
例えば、人体検知センサ２０が人体のトイレ室ＴＲへの入室を検知すると、制御部４０は、照明部３０を点灯させる。例えば、人体検知センサ２０がトイレ室ＴＲにおける人体の動きを検知すると、制御部４０は、照明部３０を点灯させる。例えば、人体検知センサ２０が人体のトイレ室ＴＲからの退室を検知すると、制御部４０は、照明部３０を消灯させる。
【００３２】
例えば、キャビネット１００は、照明部３０を動作させるための操作部（例えば、スイッチやリモコンなど）をさらに備えていてもよい。制御部４０は、上記の人体検知センサ２０の検知結果に基づく制御に加えて、例えば、使用者による操作部の操作に基づいて、照明部３０の動作を制御してもよい。
【００３３】
手洗器５０は、例えば、キャビネット本体１０の天板（カウンター）の上に設けられる。手洗器５０は、水栓装置５１と、ボウル５２と、を有する。ボウル５２は、水栓装置５１の吐水部の下方に設けられ、水栓装置５１から吐出される水を受ける。ボウル５２からの排水は、例えば、キャビネット本体１０の内部に収納された排水管（図示せず）を介して、壁面に設けられた排出部（図示せず）に排出される。手洗器５０は、必要に応じて設けられ、省略可能である。
【００３４】
紙巻器６０は、トイレットペーパＴＰを保持する。紙巻器６０は、トイレットペーパＴＰを便器２１０側に向かって取り出せるように設けられる。紙巻器６０は、必要に応じて設けられ、省略可能である。
【００３５】
このように、実施形態によれば、キャビネット１００に、人体検知センサ２０と、トイレ室ＴＲ内を照らす照明部３０と、照明部３０の動作を制御する制御部４０と、を設ける。これにより、キャビネット１００において、人体検知センサ２０の検知結果に基づいて、制御部４０により照明部３０を制御することができる。したがって、専用のトイレ装置を用いることなく、トイレ室ＴＲ内に光による演出効果をもたらすことができる。
【００３６】
図５（ａ）及び図５（ｂ）は、実施形態に係るキャビネットの人体検知センサ周辺を模式的に表す斜視図である。  
図５（ａ）及び図５（ｂ）に表したように、キャビネット１００は、センサ取付部１５を有する。人体検知センサ２０は、例えば、センサ取付部１５を介して、キャビネット本体１０に取り付けられる。
【００３７】
センサ取付部１５は、例えば、上面部１５ａと、下面部１５ｂと、立面部１５ｃと、を有する。立面部１５ｃは、上面部１５ａと下面部１５ｂとを接続する。上面部１５ａ及び下面部１５ｂは、例えば、略水平に拡がる。立面部１５ｃは、例えば、上面部１５ａ及び下面部１５ｂのそれぞれに対して略垂直である。上面部１５ａは、例えば、ネジなどによりキャビネット本体１０の天板に固定される。人体検知センサ２０は、例えば、下面部１５ｂに載置され、下面部１５ｂに固定される。
【００３８】
人体検知センサ２０は、センサ本体２１と、支持部２２と、を有する。センサ本体２１は、例えば、赤外線やマイクロ波などを照射し、反射光を受光することで、人体を検知する。また、センサ本体２１は、検知結果を制御部４０に送信する。
【００３９】
支持部２２は、センサ本体２１を支持する。支持部２２は、例えば、立面部２２ａと、下面部２２ｂと、を有する。立面部２２ａは、例えば、センサ取付部１５の下面部１５ｂに対して略垂直である。センサ本体２１は、例えば、立面部２２ａに沿うように配置される。下面部２２ｂは、例えば、立面部２２ａの下端からセンサ本体２１とは反対側に延びる。下面部２２ｂは、例えば、センサ取付部１５の下面部１５ｂに対して略平行である。下面部２２ｂは、例えば、ネジなどによりセンサ取付部１５の下面部１５ｂに固定される。
【００４０】
図６（ａ）及び図６（ｂ）は、実施形態に係るキャビネットの人体検知センサ周辺を模式的に表す平面図である。  
図６（ａ）及び図６（ｂ）に表したように、センサ取付部１５の下面部１５ｂには、上下方向に貫通する第１〜第４孔部７１〜７４が設けられている。第１〜第４孔部７１〜７４は、例えば、上面視において、円形である。第１孔部７１の中心と第２孔部７２の中心とを通る直線は、第３孔部７３の中心と第４孔部７４の中心とを通る直線と交差する。換言すれば、第１孔部７１の中心と第２孔部７２の中心とを通る直線は、第３孔部７３の中心と第４孔部７４の中心とを通る直線に対して平行ではない。第１〜第４孔部７１〜７４の直径は、例えば、それぞれ略同じである。
【００４１】
人体検知センサ２０の支持部２２の下面部２２ｂには、上下方向に貫通する第１固定孔８１及び第２固定孔８２が設けられている。第１固定孔８１及び第２固定孔８２は、例えば、破線で表したセンサ本体２１が赤外線やマイクロ波などを照射する方向（照射方向）の中心線ＣＬの延長線上に位置する。第１固定孔８１の直径と第２固定孔８２の直径とは、例えば、略同じである。第１固定孔８１及び第２固定孔８２の直径は、例えば、第１〜第４孔部７１〜７４の直径よりも大きい。第１固定孔８１及び第２固定孔８２の直径は、例えば、第１〜第４孔部７１〜７４の直径と略同じであってもよい。
【００４２】
第１孔部７１の中心と第２孔部７２の中心との間の距離は、第３孔部７３の中心と第４孔部７４の中心との間の距離と略同じである。第１固定孔８１の中心と第２固定孔８２の中心との間の距離は、第１孔部７１の中心と第２孔部７２の中心との間の距離、及び、第３孔部７３の中心と第４孔部７４の中心との間の距離と略同じである。
【００４３】
支持部２２の下面部２２ｂは、例えば、図６（ａ）に表したような第１状態、または、図６（ｂ）に表したような第２状態で、センサ取付部１５の下面部１５ｂにネジなどにより固定される。
【００４４】
第１状態は、図６（ａ）に表したように、上下方向において、第１固定孔８１が第１孔部７１と重なり、第２固定孔８２が第２孔部７２と重なる状態である。一方、第２状態は、図６（ｂ）に表したように、上下方向において、第１固定孔８１が第３孔部７３と重なり、第２固定孔８２が第４孔部７４と重なる状態である。
【００４５】
上記のように、第１孔部７１の中心と第２孔部７２の中心とを通る直線は、第３孔部７３の中心と第４孔部７４の中心とを通る直線に対して平行ではない。したがって、第１状態（図６（ａ））及び第２状態（図６（ｂ））において、人体検知センサ２０のセンサ取付部１５に対する取付角度θは異なる。取付角度θは、例えば、左右方向と、センサ本体２１の赤外線などの照射方向の中心線ＣＬとがなす角度（劣角）である。なお、図６（ａ）において、取付角度は約７０度であり、図６（ｂ）において、取付角度は約５０度である。
【００４６】
このように、人体検知センサ２０は、例えば、第１状態または第２状態でセンサ取付部１５に取り付けることで、取付角度θを調整可能である。
【００４７】
図７（ａ）及び図７（ｂ）は、実施形態に係るキャビネットの人体検知センサ周辺の変形例を模式的に表す平面図である。  
図７（ａ）及び図７（ｂ）に表したように、この例では、センサ取付部１５の下面部１５ｂには、第１孔部７１及び第２孔部７２が設けられている。この例では、第１孔部７１は、上面視において、円形であり、第２孔部７２は、第１孔部７１を中心とする円弧状の長孔である。第２孔部７２の円弧の角度は、約９０度である。
【００４８】
この例では、例えば、図７（ａ）及び図７（ｂ）に表したように、上下方向において、第１固定孔８１と第１孔部７１とが重なった状態で、第２固定孔８２と第２孔部７２とが重なる範囲で、支持部２２の下面部２２ｂを回転させることで、取付角度θを任意の角度に調整することができる。例えば、この例では、取付角度θを０度以上９０度以下の任意の角度に調整することができる。なお、図７（ａ）は、取付角度θが約７０度の状態を示し、図７（ｂ）は、取付角度θが約５０度の状態を示している。
【００４９】
例えば、第２孔部７２の円弧の角度を大きくすることで、取付角度θを調整できる範囲を広くすることができる。例えば、第２孔部７２の円弧の角度を小さくすることで、取付角度θを調整できる範囲を狭くすることができる。
【００５０】
このように、取付角度θを任意の角度に調整可能な人体検知センサ２０を設けることで、例えば、人体検知センサ２０による検知範囲の調整をより細かく行うことができる。
【００５１】
図８（ａ）及び図８（ｂ）は、実施形態に係るキャビネットを備えたトイレシステムを模式的に表す平面図である。  
図８（ａ）は、図６（ａ）及び図７（ａ）に表したように、人体検知センサ２０の取付角度θを約７０度にした場合を示す。  
図８（ｂ）は、図６（ｂ）及び図７（ｂ）に表したように、人体検知センサ２０の取付角度θを約５０度にした場合を示す。
【００５２】
図８（ａ）及び図８（ｂ）に表したように、トイレ室ＴＲの大きさやトイレ室ＴＲのドアの位置によって、トイレ室ＴＲに入室するときの使用者（人体）の位置は異なる。奥行きがＬ１であり、幅がＷ１のトイレ室ＴＲにおいて、ドアが左側の側壁に設けられている場合、トイレ室ＴＲに入室するときの人体の位置は、例えば、第１位置Ｐ１である。また、このトイレ室ＴＲにおいて、ドアが前方側の壁に設けられている場合、トイレ室ＴＲに入室するときの人体の位置は、例えば、第２位置Ｐ２である。
【００５３】
奥行きがＬ１であり、幅がＷ２のトイレ室ＴＲにおいて、ドアが左側の側壁に設けられている場合、トイレ室ＴＲに入室するときの人体の位置は、例えば、第３位置Ｐ３である。また、このトイレ室ＴＲにおいて、ドアが前方側の壁に設けられている場合、トイレ室ＴＲに入室するときの人体の位置は、例えば、第４位置Ｐ４である。
【００５４】
奥行きがＬ２であり、幅がＷ１のトイレ室ＴＲにおいて、ドアが左側の側壁に設けられている場合、トイレ室ＴＲに入室するときの人体の位置は、例えば、第５位置Ｐ５である。また、このトイレ室ＴＲにおいて、ドアが前方側の壁に設けられている場合、トイレ室ＴＲに入室するときの人体の位置は、例えば、第６位置Ｐ６である。
【００５５】
奥行きがＬ２であり、幅がＷ２のトイレ室ＴＲにおいて、ドアが左側の側壁に設けられている場合、トイレ室ＴＲに入室するときの人体の位置は、例えば、第７位置Ｐ７である。また、このトイレ室ＴＲにおいて、ドアが前方側の壁に設けられている場合、トイレ室ＴＲに入室するときの人体の位置は、例えば、第８位置Ｐ８である。
【００５６】
また、例えば、トイレ装置２００（便座２２０）に着座したときの人体の位置は、第９位置Ｐ９である。
【００５７】
キャビネット１００に人体検知センサ２０を設ける場合、特にキャビネット本体１０、トイレ装置２００、及びトイレ室ＴＲのドア（出入り口）の３方向を考慮して、人体検知センサ２０の位置や取付角度を決めることが好ましい。より具体的には、例えば、人体のトイレ室ＴＲへの入室及び便座２２０に着座中の人体を検知でき、かつ、トイレ室ＴＲの外にいる人体の検知を抑制できるような位置及び取付角度が好ましい。
【００５８】
実施形態において、人体検知センサ２０は、例えば、キャビネット本体１０の左右方向の中央よりも便器２１０側に設けられる。換言すれば、例えば、人体検知センサ２０とキャビネット本体１０の扉ＤＲとの間の左右方向の距離は、人体検知センサ２０と側壁ＳＷとの間の左右方向の距離よりも短い。また、人体検知センサ２０は、例えば、便器２１０よりも後方、または、左右方向において便器２１０と重なる位置に設けられる。このような位置に人体検知センサ２０を設けることで、トイレ室ＴＲのドア付近（つまり、第１〜第８位置Ｐ１〜Ｐ８）の人体の動きだけでなく、着座中（つまり、第９位置Ｐ９）の人体も検知しやすくなる。なお、この例では、左右方向は、上面視において、キャビネット本体１０の短手方向であり、前後方向は、上面視において、キャビネット本体１０の長手方向である。
【００５９】
また、人体検知センサ２０は、例えば、トイレ室ＴＲのドアに向かって設けられる。このような角度で人体検知センサ２０を設けることで、人体のトイレ室ＴＲへの入室及びトイレ室ＴＲからの退室の検知精度が向上する。
【００６０】
上記のように、トイレ室ＴＲの大きさやトイレ室ＴＲのドアの位置によって、トイレ室ＴＲに入室するときの人体の位置は異なるため、人体検知センサ２０の取付角度θを固定にすると、トイレ室ＴＲの大きさやトイレ室ＴＲのドアの位置によっては、トイレ室ＴＲに入室するときの人体を検知しにくくなる場合がある。
【００６１】
これに対し、実施形態によれば、人体検知センサは、取付角度θを調整可能である。例えば、人体検知センサ２０を図８（ａ）に表したような角度（取付角度θが約７０度）で取り付けると、第３位置Ｐ３、第４位置Ｐ４、第７位置Ｐ７、及び第８位置Ｐ８の人体を検知しやすい。一方、例えば、人体検知センサ２０を図８（ｂ）に表したような角度（取付角度θが約５０度）で取り付けると、第１位置Ｐ１、第２位置Ｐ２、第５位置Ｐ５、第６位置Ｐ６、第７位置Ｐ７、及び第８位置Ｐ８の人体を検知しやすい。
【００６２】
このように、トイレ室ＴＲの大きさやトイレ室ＴＲのドアの位置に応じて、取付角度θを調整することで、トイレ室ＴＲの大きさによらず、人体のトイレ室ＴＲへの入室やトイレ室ＴＲ内における人体の動きを精度よく検知することができる。また、取付角度θを調整することで、トイレ室ＴＲの外にいる人体を検知することを抑制できる。これにより、照明部３０の誤動作（誤点灯）を抑制することができる。
【００６３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、キャビネットなどが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６４】
１０ キャビネット本体、  １５ センサ取付部、  １５ａ 上面部、  １５ｂ 下面部、  １５ｃ 立面部、  ２０ 人体検知センサ、  ２１ センサ本体、  ２２ 支持部、  ２２ａ 立面部、  ２２ｂ 下面部、  ３０ 照明部、  ４０ 制御部、  ５０ 手洗器、  ５１ 水栓装置、  ５２ ボウル、  ６０ 紙巻器、  ７１〜７４ 第１〜第４孔部、  ８１、８２ 第１、第２固定孔、  １００ キャビネット、  ２００ トイレ装置、  ２１０ 便器、  ２２０ 便座、  ２３０ 便蓋、  ５００ トイレシステム、  ＣＬ 中心線、  ＤＲ 扉、  ＦＳ 床面、  Ｌ１、Ｌ２ 奥行き、  Ｐ１〜Ｐ９ 第１〜第９位置、  ＳＷ 側壁、  ＴＰ トイレットペーパ、  ＴＲ トイレ室、  Ｗ１、Ｗ２ 幅、  θ 取付角度
【図１】
2020044249.tif 000003
【図２】
2020044249.tif 000004
【図３】
2020044249.tif 000005
【図４】
2020044249.tif 000006
【図５】
2020044249.tif 000007
【図６】
2020044249.tif 000008
【図７】
2020044249.tif 000009
【図８】
2020044249.tif 000010